Podtech/llm-jp-corpus-v4-ja_patent huggingface dataset:
(57)【要約】      （修正有）【課題】かぼちゃの芯取り工程と皮むき工程を１台の装置で行おうとするもので、加工の時間を短縮してコストの低減化をはかったかぼちゃの芯取り皮むき装置を提供する。【解決手段】かぼちゃ１の芯を上下方向にして、芯まわりに回転させる駆動機構６を備えたかぼちゃ固定手段と、かぼちゃの上側から芯に向けて上下方向に昇降する芯取り刃物３を備えた芯取り手段と、かぼちゃの側面の輪郭形状に倣って自在に角度を変えて当接する皮むき刃物７を備えた皮むき手段で構成することを特徴とし、また、芯取り刃物は抵抗なく自由に回転する機構とし、皮むき時にかぼちゃが回転する際の回転センターとして機能する。【選択図】図１
0003186205.tif 000002
【実用新案登録請求の範囲】
【請求項１】
かぼちゃの芯取り装置において、皮むき用刃物と皮むき用回転駆動装置を設けることにより、かぼちゃの芯取り工程と皮むき工程を１つの装置で行うことを特徴とするかぼちゃの芯取り皮むき装置。
【請求項２】
上記装置において、かぼちゃの芯取り刃物はフリーに回転する機構とし、皮むき時にかぼちゃを回転させる際の回転センターとして機能することを特徴とする装置。
【考案の詳細な説明】
【技術分野】
【０００１】  本考案は、かぼちゃの原材料を大量に処理する食品の加工作業において、かぼちゃの芯を取り、皮をむく装置に関するものである。
【背景技術】
【０００２】  かぼちゃを加工する工程として、かぼちゃに付いた芯を取り除き、さらに皮をむく作業がある。大量に加工するためには、それぞれの工程に対し機械化された装置を用いて処理している。
【考案の概要】
【考案が解決しようとする課題】
【０００３】  従来の方式では、かぼちゃの芯取り装置と皮むき装置は別々に存在しているため、それぞれの工程に分けて加工しなければならず、時間が多くかかっていた。本考案は、かぼちゃの芯取り工程と皮むき工程を１台の装置で行おうとするもので、加工の時間を短縮してコストの低減化をはかるものである。
【課題を解決するための手段】
【０００４】  従来から多く用いられている加工方法では、かぼちゃの上下に着いている芯は、筒形状をもつ芯取り刃物をかぼちゃの芯に向かって直線的に突き刺し、貫通させて取り除く。また、皮むき装置は、かぼちゃを回転させながら皮むき刃物をかぼちゃの輪郭に沿って押しつけることで皮をむく。【０００５】  本考案は、従来の芯取り装置に対し新たに皮むき用の刃物を付加し、皮をむくためにかぼちゃが回転する機構を組み入れたもので、基本的には従来の２つの装置を合体した形であるが、次の点を新たな機構として組み込んでいる。【０００６】  皮むき工程は、芯取り刃物がかぼちゃの芯を突き刺し貫通した状態にして、かぼちゃを回転させて行う。従って、皮むき時には芯取り刃物はかぼちゃの回転センターとして機能する。この時、芯取り刃物には軸受を設けてフリーに回転できる機構にしておくことにより、かぼちゃと芯取り刃物間の回転摩擦抵抗がなくなり、かぼちゃの底面に設ける回転トルク伝達用の剣山形状取付け部の取付けピッチ径を小さくすることができる。これにより、かぼちゃの皮をむく面積がより広範囲に確保される。
【考案の効果】
【０００７】  本考案によって、従来は２工程をかけて処理していたものが１工程でできるようになる。これにより、かぼちゃを装置に取付け、取り外すための時間が半分になることで加工時間が短縮でき、人手が削減され、コストが低減できる。また、全体の作業スペースも少なくできる。
【図面の簡単な説明】
【０００８】
【図１】図１はかぼちゃ芯取り皮むき機の実施例の断面図である。
【図２】図２はかぼちゃ芯取り皮むき機の実施例の平面図である。
【考案を実施するための形態】
【０００９】  本考案では、従来からある芯取り装置に対し、皮むき用刃物、かぼちゃを回転させる駆動機構、さらには芯取り刃物がフリーに回転する機構をそれぞれ装置本体に新たに付加することにより、芯取り工程と皮むき工程が１台の装置でできるようにするものである。
【実施例】
【００１０】  図１は本考案装置の実施例の断面図である。かぼちゃ１は剣山形状取付け部２の上にかぼちゃ底面を刺し込む形で取りつけられる。芯を取り除くための芯取り刃物３は、かぼちゃ１の上方部に設けられ、かぼちゃ１の芯部分を突き刺し貫通するために刃物部分は筒形状になっており、刃物昇降駆動装置４によって昇降する。芯取り刃物３は、下降してかぼちゃ１を貫通した後はその状態を保持し、次の皮むき工程においてかぼちゃ１が回転する時の回転センターとして機能する。そのために、芯取り刃物３にはフリーに回転できるよう外周に軸受５を設ける。かぼちゃ１は回転駆動装置６により剣山形状取付け部２を介して回転する。皮むき用刃物７は、かんぴょうの手動皮むき器に類似したものが本体フレーム８に取りつけられ、その接続部分にはボール継手９を介在して皮むき時の方向性に自由度をもたせている。これらにより、作業者は皮むき刃物７をかぼちゃ１の中心に向けて輪郭に沿って押付けることにより皮むきができる。
【産業上の利用可能性】
【００１１】  本考案はかぼちゃを栽培する農家、それを集約して加工、販売する農業団体、食品加工会社、流通会社などにおいて利用される。
【符号の説明】
【００１２】  １    かぼちゃ
２    剣山形状取付け部
３    芯取り刃物
４    刃物昇降駆動装置
５    軸受
６    回転駆動装置
７    皮むき用刃物
８    本体フレーム
９    ボール継手
【図１】
0003186205.tif 000003
【図２】
0003186205.tif 000004
【手続補正書】
【提出日】平成25年6月19日(2013.6.19)
【手続補正１】
【補正対象書類名】実用新案登録請求の範囲
【補正対象項目名】全文
【補正方法】変更
【補正の内容】
【実用新案登録請求の範囲】
【請求項１】
かぼちゃの芯を上下方向にして該芯まわりに回転させる駆動機構を備えたかぼちゃ固定手段と、前記かぼちゃの上側から該芯に向けて上下方向に昇降する芯取り刃物を備えた芯取り手段と、前記かぼちゃの側面の輪郭形状に倣って自在に角度を変えて当接する皮むき刃物を備えた皮むき手段で構成することを特徴とするかぼちゃの芯取り皮むき装置。
【請求項２】
前記芯取り刃物は抵抗なく自由に回転する機構とし、皮むき時にかぼちゃが回転する際の回転センターとして機能することを特徴とする請求項１に記載のかぼちゃの芯取り皮むき装置。
(57)【要約】      （修正有）【課題】消費者の注目を得て製品の競争力を高め、使用する際の利便性が高い発光ストローを提供する。【解決手段】発光ストローは、中空状のストロー本体１を含む。ストロー本体１は、分離形成した発光収納室２を有する。発光収納室２内には、酸化液２１が注入され、内管体２２が設置される。内管体２２中には、発光液２３が封止され、酸化液２１と発光液２３との混合により化学反応が起きて蛍光を発する。発光収納室２の両端のそれぞれは封止されている。【選択図】図２
0003186281.tif 000002
【実用新案登録請求の範囲】
【請求項１】
中空状のストロー本体を含む発光ストローであって、
前記ストロー本体は、分離形成した発光収納室を有し、
前記発光収納室内には、酸化液が注入されて、内管体が設置され、
前記内管体中には、発光液が封止され、前記酸化液と前記発光液との混合により化学反応が起きて蛍光を発し、
前記発光収納室の両端のそれぞれは封止されていることを特徴とする、
発光ストロー。
【考案の詳細な説明】
【技術分野】
【０００１】
本考案は、発光ストローに関し、特に、ストロー本体の使用過程で蛍光を発し、ストロー本体の発光により消費者の注目を得て、製品の競争力が高くて実用的な発光ストローに関する。
【背景技術】
【０００２】
人間の体は水分を定期的に補給する必要があるため、水を飲んで必要な水分を補給することが一般的である。もし体に水分が長時間補給されない場合、脱水症状が起きて健康を害し、最悪の場合生命を失う虞さえあった。社会の変化に伴い、水分補給には飲用水以外に様々な飲み物が生み出されて人々の欲求を満たしている。
【０００３】
従来、飲み物を飲む際に使用するストローは、一般にプラスチックからなる中空状管体であり、ストローを使用する際、飲み物が入った容器へ差し込み、ストローを介して容器内の飲み物を直接飲むことができる。
【０００４】
上述のストローを使用すると飲み物を吸うことができるが、実際に使用すると分かるように、ストローは単なるプラスチックからなる中空状管体であり、非常にシンプルな構造を有するため、消費者の購入意欲を高めることができず、製品の競争力が低かったため、改善が求められていた。
【考案の概要】
【考案が解決しようとする課題】
【０００５】
本考案の目的は、ストロー本体の使用過程においてその発光収容室から蛍光を発し、ストロー本体を発光させることにより、消費者の注目を得て製品の競争力を高め、使用する際の利便性が高い発光ストローを提供することにある。
【課題を解決するための手段】
【０００６】
上記課題を解決するために、本考案の第１の形態によれば、中空状のストロー本体を含む発光ストローであって、前記ストロー本体は、分離形成した発光収納室を有し、前記発光収納室内には、酸化液が注入されて、内管体が設置され、前記内管体中には、発光液が封止され、前記酸化液と前記発光液との混合により化学反応が起きて蛍光を発し、前記発光収納室の両端のそれぞれは封止されていることを特徴とする発光ストローが提供される。
【図面の簡単な説明】
【０００７】
【図１】本考案の一実施形態に係る発光ストローを示す分解斜視図である。
【図２】本考案の一実施形態に係る発光ストローを示す縦断面図である。
【図３】本考案の一実施形態に係る発光ストローを示す横断面図である。
【図４】本考案の一実施形態に係る発光ストローを使用するときの状態を示す縦断面図である。
【考案を実施するための形態】
【０００８】
以下、本考案の実施形態について図に基づいて説明する。なお、これによって本考案が限定されるものではない。
【０００９】
図１〜図３を参照する。図１は、本考案の一実施形態に係る発光ストローを示す分解斜視図である。図２は、本考案の一実施形態に係る発光ストローを示す縦断面図である。図３は、本考案の一実施形態に係る発光ストローを示す横断面図である。
図１〜図３に示すように、本考案の一実施形態に係る発光ストローは、中空状のストロー本体１を含む。ストロー本体１は、分離形成された発光収納室２を有する。発光収納室２内には、酸化液（ａｃｔｉｖａｔｏｒ）２１が注入されて、内管体２２が設置されている。内管体２２中には、発光液（ｇｌｏｗ  ｃｈｅｍｉｃａｌ）２３が封止される。発光液２３は、シュウ酸塩化合物（ｏｘａｌａｔｅ  ｃｏｍｐｏｕｎｄ）でもよく、酸化液２１と発光液２３とを混合すると化学反応が起きて蛍光を発する。発光収納室２の両端のそれぞれは封止されている。
【００１０】
図４を参照する。図４は、本考案の一実施形態に係る発光ストローを使用するときの状態を示す縦断面図である。
図４に示すように、本実施形態の発光ストローのストロー本体１を実際に使用する際、ストロー本体１を発光収納室２内の内管体２２に対応した箇所で折り曲げ、内管体２２が力を受けて破裂したり断裂したりすると、内管体２２内に封止された発光液２３が発光収納室２中の酸化液２１と混合され、酸化液２１と発光液２３とが化学反応を起こし、混合された酸化液２１と発光液２３とにより発光剤に対応した色の蛍光を発する。
このように、ストロー本体１の使用過程において、発光収納室２内で混合された酸化液２１及び発光液２３が発する蛍光により見た目が美しくなる。
【００１１】
上述したことから分かるように、本考案の発光ストローは、従来技術と比べ、ストロー本体の使用過程で発光収納室から蛍光を発し、ストロー本体の発光により消費者の注目を得ることができるため、製品の競争力が高くて実用的である。
【００１２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１３】
１    ストロー本体
２    発光収納室
２１  酸化液
２２  内管体
２３  発光液
【図１】
0003186281.tif 000003
【図２】
0003186281.tif 000004
【図３】
0003186281.tif 000005
【図４】
0003186281.tif 000006
(57)【要約】      （修正有）【課題】沢山の楽譜を電子データで収納し、使用時には開いて譜面台に置き、使用する譜面を呼び出し、譜面上に加筆・消去ができ、また、譜面を拡大して使用ができる、持ち運びが便利で保管場所を取らない折りたたみ式薄型ポータブル電子楽譜を提供する。【解決手段】２枚の表示パネルをヒンジで結合する。沢山の譜面データを本体に収納し、使用時に開いて表示パネルに譜面を表示、未使用時は折りたたみ、容易に持ち歩き、保管場所を取らない。【選択図】図２
0003186216.tif 000002
【実用新案登録請求の範囲】
【請求項１】
沢山の楽譜（譜面）を電子データで収納し、使用時は開いて譜面台に載せ、使用する譜面を表示パネル上に表示し、未使用時は閉じて容易に持ち歩きができ、楽譜の保管場所を取らない、折りたたみ式を特徴とする薄型ポータブル電子楽譜
【考案の詳細な説明】
【技術分野】
【０００１】  本考案は楽譜（譜面）を電子データで収納し、収納した譜面を使用時に表示パネルに表示して、書込み・消去、拡大・縮小表示ができる、保管場所を取らない、折りたたみ式薄型ポータブル電子楽譜に関する。
【背景技術】
【０００２】  楽譜には手でめくる面倒な操作を必要とすることなく演奏者にとってより使いやすい譜面台を提供すること（特許文献１参照）。  指揮者及び演奏者が快適かつ安定した状況で使用ができ、さらに静粛性を保って楽譜を表示することが出、また、軽量で移動が容易な電子楽譜表示装置を提供する（特許文献２参照）。  ピアノなどの演奏時に、演奏のスピードに合わせて自動的にページめくりができることを目的とした。また何冊もの楽譜本を持ち歩きしないようにした（特許文献３参照）。  Ａ４サイズの画面に紙の感覚で使用できる（公序良俗違反につき、不掲載）、Ａ４サイズ１３．３型の電子ペーパー（２０１３年５月１３日発表）がある。  楽譜は楽器演奏、練習等の目的に応じて書籍楽譜を数冊（楽器と一緒に）持ち歩き、時には持参した楽譜にない曲の演奏を強いられることもあった。また、所有の書籍楽譜保管場所や目的とする楽譜探しも時間を必要としていた。使用時に譜面上に書き込み・訂正・消去などで譜面汚れ、傷みが発生していた。高齢者など視力が弱い方の増加に伴い、見やすい高齢者向け楽譜制作が必要であった。
【先行技術文献】
【特許文献】
【０００３】
【特許文献１】  特開２００８−２９２９６６号  公報
【特許文献２】  特開２００４−２７９８１８号  公報
【特許文献３】  実用新案公開平７−４３２５６号  公報
【考案の概要】
【考案が解決しようとする課題】
【０００４】  本考案の薄型ポータブル電子楽譜は書籍楽譜の特徴・良さを生かし、折りたたみ式で使用時に開いて譜面台に載せ、未使用時には折りたたんで（楽器と一緒に）沢山の楽譜を容易に持ち歩きができること。【０００５】  目的とする譜面を容易に検索し、並びに使用時に必要な情報を譜面上に汚れなく、書き込み訂正・消去ができること。【０００６】  付属のワイヤレスマウス（リモコン）を使用し手足でページめくりができること。【０００７】  使用譜面を拡大し、目が悪い方が容易に可視できること。【０００８】  楽譜保管の場所を取らず、目的とする譜面の取り出しが容易にできること。【０００９】  以上が可能な折りたたみ式薄型ポータブル電子楽譜を提供することを目的とする。
【課題を解決するための手段】
【００１０】  上記目標を達成するために本考案は、［請求項１］の構成要件、折りたたみ式薄型ポータブル電子楽譜で構成、本体に楽譜データを収納し、使用時は本体を開いて譜面台に載せ、使用する譜面データを表示、未使用時は本体を閉じて容易に持ち歩き、また楽譜の保管場所を要しないことで解決している。
【考案の効果】
【００１１】  以上のように本考案の折りたたみ式薄型ポータブル電子楽譜は沢山の楽譜をデータ収納し、使用時には本体を開いて譜面台に載せ、目的に応じて使用する譜面を取り出し、書き込み・消去ができ、また、視力が弱い方が譜面を拡大・縮小でき、併せて折りたたんで容易に持ち歩き、楽譜の保管場所を取らない。
【図面の簡単な説明】
【００１２】
【図１】本考案を実施するために最良の形態で閉じた状態（持ち運び・収納時）の薄型ポータブル電子楽譜（例Ａ４版）の外観図である。
【図２】本考案を実施するために最良の形態で使用時の薄型ポータブル電子楽譜（例Ａ４版）の外観図である。
【考案を実施するための形態】
【００１３】  折りたたみ式の形態で、楽譜データの収納し、使用時に楽譜データを呼び出し、拡大・縮小表示、加筆・消去ができ、保管場所を取らず、持ち歩きができる薄型ポータブル電子楽譜である。
【００１４】  以下、本考案の実施の形態を添付図面に従って実施例を説明する。
図１  １は閉じた状態（持ち運び時、収納時）の外観図である。
【００１５】図２  ２は開いた状態（使用時）の形態である。
図２  ３は表示パネルである。
図２  ４は開閉が可能で使用時は１８０度開け、譜面台に載せることが可能となる。
【符号説明】
１  折りたたみ式薄型ポータブル電子楽譜
２  折りたたみ式薄型ポータブル電子楽譜を開いた状態
３  表示パネル
４  ヒンジ（１８０度開く）
【図１】
0003186216.tif 000003
【図２】
0003186216.tif 000004
【手続補正書】
【提出日】平成25年7月11日(2013.7.11)
【手続補正１】
【補正対象書類名】実用新案登録請求の範囲
【補正対象項目名】請求項１
【補正方法】変更
【補正の内容】
【請求項１】
２枚の表示パネルをヒンジで結合したことを特徴とする折りたたみ式薄型ポータブル電子楽譜
【手続補正２】
【補正対象書類名】明細書
【補正対象項目名】０００２
【補正方法】変更
【補正の内容】
【０００２】従来の電子楽譜には手でめくる面倒な操作を必要とすることなく演奏者にとってより使いやすい譜面台（特許文献１参照）
指揮者及び演奏者が快適、かつ安定的した状況で楽譜が表示でき軽量で移動が容易な電子楽譜表示装置（特許文献２参照）
何冊の楽譜をメモリーし、希望の楽譜を選択、ピアノなどの演奏時に演奏のスピードに合わせて自動的にページめくりができることを目的とした電子楽譜（特許文献３参照）
楽譜は楽器演奏、練習等の目的に応じて書籍楽譜を数冊（楽器と一緒に）持ち歩き、時には持参した楽譜にない曲の演奏を強いられることもあった。
また、所有の書籍楽譜保管場所や目的とする楽譜探しも時間を必要としていた。
使用時に譜面上に書き込み・訂正・消去などで譜面汚れ、傷みが発生していた。
高齢者など視力が弱い方の増加に伴い、見やすい高齢者向け楽譜制作が必要であった。
(57)【要約】      （修正有）【課題】マンマシンインターオペラビリティ向上対策仕事をするコンピュータ化コンピュータアンドコミュニケーション入出力装置を提供する。【解決手段】ＴＶ画像表示装置１と、コンピュータシステム５と、ＴＶ画像表示装置により表示された画像又は音声をコンピュータシステムに送信するＴＶ電話装置２，４又は携帯電話と、からなり、さらに、コンピュータシステムが自動通訳機能を有することを特徴とする。【選択図】図１
0003186217.tif 000002
【実用新案登録請求の範囲】
【請求項１】
ビデオ再生装置を有したものも含んだＴＶ放送受信装置とＴＶ電話装置又は携帯電話とその情報処理装置で構成したコンピュータアンドコミュニケーション入出力装置。
【請求項２】
ビデオシステム等ＴＶ番組各国語版再編集又は映画各国語版再編集コンピュータシステムを構成に有した事を特徴とする請求項１記載のコンピュータアンドコミュニケーション入出力装置。
【考案の詳細な説明】
【技術分野】
【０００１】
本考案は、従来のコンピュータアンドコミュニケーション入出力装置に於けるマンマシンインターオペラビリティ向上対策仕事をするコンピュータに関する。
【背景技術】
【０００２】
テレビ電話装置は送受信機として画像表示装置と音声出力装置を備えたコンピュータアンドコミュニケーション入出力装置です。
【考案の概要】
【考案が解決しようとする課題】
【０００３】
しかしながら、テレビ電話装置は、そのままでは人間が視聴するコンピュータアンドコミュニケーションシステムであり、自動通訳パターン認識等のマンマシンインターオペラビリティ対策仕事をするコンピュータの要求があるという欠点がある。日本の鉄道コンテナが韓国の鉄道コンテナと朝鮮海峡高速船により相互運用となって自動通訳パターン認識による仕事をするコンピュータのＮＥＥＤＳが起きた。
【０００４】
本考案は上記実情に鑑みてなされたものであり、従来のコンピュータアンドコミュニケーション入出力装置に於けるマンマシンインターオペラビリティ向上対策仕事をするコンピュータがなされている。
【課題を解決するための手段】
【０００５】
上記目的を達成するため考案は、コンピュータアンドコミュニケーション入出力装置に於けるマンマシンインターオペラビリティ向上対策仕事をするコンピュータとして次の構成を含むことを特徴としている。従来のＴＶ電話装置で人が画像のパターンと音声のパターンによりコンピュータシステムのコンピュータアンドコミュニケーション入出力装置に入力していた玄関の鍵をあけるシステムに於けるパターン認識の応用として、人の代わりにＴＶ画像による放送局からの受信装置又はビデオ映像を前述と同じＴＶ電話装置で画像のパターンと音声のパターンによりコンピュータシステムのコンピュータアンドコミュニケーション入出力装置に接続入力していたコンテナ倉庫の鍵開けコンピュータシステムに於けるパターン認識の一致を応用した指紋照合システムに類似したコンピュータアンドコミュニケーション入出力装置を構成するものである。
【考案の効果】
【０００６】
本考案により、その構成にテレビ画像表示（受信とビデオを含む）装置を運用する事により、放送局やビデオに出演する有資格者のマンマシンインターオペラビリティ向上対策仕事をするコンピュータができる。
例えば、有資格者としてのタレントさんが「開けゴマ」と日本語で音声パターン、画像のタレントさんの姿パターン認識で一致した時、マシーンによる倉庫の鍵が開きますが、もうひとつの方法として同時にヘッドホンの作業者が仕事上「Open the door」と英語で音声パターン、画像の作業者の姿又は前述のタレントさんの姿パターン認識で一致した時、マンによる倉庫の鍵が開きます。即ち、ＴＶ画像に合わせた自動通訳トレーニングのＴＶ電話又は携帯電話による各国語版、ＴＶ番組作製システムであり、画像の再編集用コンピュータシステムによりCOST DOWNを計ったＴＶ番組各国語版再編集コンピュータアンドコミュニケーション入出力装置であり、ＴＶ受信装置を映画スクリーンに置き換えれば映画各国語版再編集コンピュータアンドコミュニケーション入出力装置であります。音声と画像のタレントさんの人数分の再編集を意味します。
【図面の簡単な説明】
【０００７】
【図１】本考案のコンピュータアンドコミュニケーション入出力装置。
【考案を実施するための形態】
【０００８】
本考案の実施の形態の一例について図面を参照しながら説明する。
マンマシンインターオペラビリティ向上対策のコンピュータアンドコミュニケーション入出力装置は、図１に示すようにＴＶ画像表示装置１．ＴＶ電話装置２．４とコンピュータシステム５と情報処理装置７、それに１．に付属するクリスタルイヤホン又はヘッドホン６で構成されるもの。
【符号の説明】
【０００９】
１        ＴＶ画像表示装置（受信とビデオ表示含む）又は映画スクリーン
２        ＴＶ電話装置（携帯電話を含む）又はビデオシステム
３        人間  マン
４        ＴＶ電話装置  ２と同じ。
５        コンピュータシステム（ＴＶ電話装置２の画像表示装置も含む）
６        １．に付属するクリスタルイヤホン又はヘッドホン
７        鍵開けパターン認識（画像と音声のパターン認識一致による）コンピュータシステムを例とする情報処理システム即ち音声と画像の再編集のＴＶ番組各国語版再編集又は映画各国語版再編集コンピュータシステム。ビデオ作成装置等を含む情報処理装置  
８        倉庫
【図１】
0003186217.tif 000003
【手続補正書】
【提出日】平成25年7月18日(2013.7.18)
【手続補正１】
【補正対象書類名】実用新案登録請求の範囲
【補正対象項目名】全文
【補正方法】変更
【補正の内容】
【実用新案登録請求の範囲】
【請求項１】
ＴＶ画像表示装置と、コンピュータシステムと、前記ＴＶ画像表示装置により表示された画像又は音声を前記コンピュータシステムに送信するＴＶ電話装置又は携帯電話と、からなるコンピュータアンドコミュニケーション入出力装置。
【請求項２】
前記、コンピュータシステムが自動通訳機能を有することを特徴とする請求項１記載のコンピュータアンドコミュニケーション入出力装置。
(57)【要約】      （修正有）【課題】自転車の方向指示器において、歩行者が見ても照明灯の点滅と音声により、自転車の進路が判る機能を持つ方向指示器を提供する。【解決手段】ハンドルの左右にアーチ型グリップ１を設け外周に照明灯６を数個配置する。照明灯の点滅にて左折、右折を示し、グリップの先端に設けたスピーカー３により音声によって左折、右折、の指示を同時に発生する。これにより、歩行者や自動車等に警告を示せるので安全が確保できる。【選択図】図２
0003186211.tif 000002
【実用新案登録請求の範囲】
【請求項１】
自転車のハンドルグリップにアーチ型の支持部を設け、前記支持部の外周部に照明手段とスイッチを設け、手を握ったまま親指と人差し指で操作ができる方向指示器。
【請求項２】
前記アーチ型グリップの内部に電池を挿入し、前記アーチ型グリップの端部に音声発生手段を設け、スイッチの操作により右折時には右折の指示、左折時には左折の指示を音声にて発生する請求項１記載の方向指示器。
【請求項３】
前記アーチ型グリップに設けたスイッチにより、照明手段を操作する請求項１の記載の方向指示器。
【請求項４】
前記アーチ型グリップに設けたスイッチにより、音声発生手段を操作する請求項２に記載の方向指示器。
【請求項５】
請求項３及び請求項４に設けたスイッチを操作すると、照明手段と音声発生手段が同時に起動する方向指示器。
【考案の詳細な説明】
【技術分野】
【０００１】本発明は二輪車や多輪車の走行に於ける方向指示器に関する。
【背景技術】
【０００２】従来の方向指示器は機械的な構造の為、取り付けに場所を取り車幅から突出して危険であり、特に夜間は自転車の前方後方から見えにくいものである。（特許文献１参照）。
また電気的な配線によって照明する方向指示器もあるが（特許文献２参照）。
最近はハンドルに色んな形状もあり、自転車の後部も車幅が狭く装着困難の場合もあり、電気の配線も外部に露出して見ずらいものである。
（特許文献３）のようにハンドルのグリップに電池を挿入して照明する方向指示器もあるが照明が一か所のみでハンドルの形状によっては前方より見えない指示器もあり、いずれも自転車が運転中無言のまま方向を変えて走行するのは危険である。
【先行技術文献】
【特許文献】
【０００３】
【特許文献１】実用新案登録第３１８００２５号  公報
【特許文献２】実用新案登録第３１８１６９５号  公報
【特許文献３】実用新案登録第３１７４５５５号  公報
【考案の概要】
【考案が解決しようとする課題】
【０００４】アーチ型グリップを取り付ければ、ハンドルのグリップ部分のみ、の装着で場所を取らず、見やすい位置で邪魔にならず簡単に取り付けができる。【０００５】電気の配線はアーチ型グリップ内部のみ、となるので自転車の外部に配線をする必要はない。【０００６】照明手段は自転車の車幅いっぱいに取り付けるので、前方向  横方向  後ろ方向からも見やすい位置にある。【０００７】自転車の安全走行上片手運転を避け、両手をアーチ型グリップに握ったまま親指だけでスイッチ操作ができるので安全である。
【問題を解決するための手段】
【０００８】本発明の第一手段は請求項１のアーチ型グリップ図２に支持部を設け、
外周に、照明灯を配列しスイッチの操作により右折時には、右折灯、左折時には、左折灯、をそれぞれ点滅する方向指示器である。
【０００９】第二の手段は請求項１のグリップの端部に音声による発生手段を設け
スイッチを操作することにより、右折時には右折します又は右に曲がります、左折時には左折します又は左に曲がります、の音声を発生して警告してくれる請求項２である。
【００１０】第三の手段は請求項１  請求項２のアーチ型グリップに取り付けたスイッチの操作により、（０００８）（０００９）の操作が同時に起動してくれる（請求項３）（請求項４）（請求項５）が本発明の特徴である。
【発明の効果】
【００１１】本発明のアーチ型グリップは外部に配線の必要もなく、構造も簡単で誰にでも取り付け可能で、車幅いっぱいに装着しているのでどこからも見やすく、照明手段と音声発生手段が同時に起動するので、自転車が運転中に無言のまま予告もなく方向を変えるのを事前に予告してから方向を変えるので、特に危険な夜間走行時も両手を握ったまま親指だけでスイッチ操作ができ安全である。
【図面の簡単な説明】
【００１２】
【図１】  アーチ型グリップを自転車に取り付けた場所の立体図。
【図２】  アーチ型グリップの断面の組み立て図。
【図３】  アーチ型グリップの外周部に取り付ける赤色カバーの斜視図。
【考案を実施するための形態】
【００１３】自転車に装着されているハンドルグリップを取り除き、請求項１のアーチ型グリップ図２をハンドルの両端に取り付ける。
【００１４】図２のアーチ型グリップ、１の内部に電池収納ケース２をはめ込み、電池及び音声発生チップとスピーカー３を挿入し、収納キャップ４で蓋をして組み立てたものである。
【００１５】アーチ型グリップ１の支持部外周に照明灯６を数個配置し、外周カバー５を、外周に取り付けたものである
【００１６】アーチ型グリップ図２に設けたスイッチ７を起動する事により、照明灯５が点滅して右折又は左折の光を発し、同時に音声発生チップとスピーカー３にて右折又は左折の音声を発生する方向指示器である。
【符号の説明】
【００１７】１  アーチ型グリップ
２  電池収納ケース
３  音声発生チップとスピーカー
４  収納キヤップ
５  外周カバー
６  照明灯
７  スイッチ
【図１】
0003186211.tif 000003
【図２】
0003186211.tif 000004
【図３】
0003186211.tif 000005
【手続補正書】
【提出日】平成25年7月10日(2013.7.10)
【手続補正１】
【補正対象書類名】実用新案登録請求の範囲
【補正対象項目名】請求項５
【補正方法】変更
【補正の内容】
【請求項５】
前記アーチ型グリップに設けたスイッチを左折時には左グリップスイッチ、右折時には右グリップスイッチを操作すると、照明手段と音声発生手段が同時に起動する請求項２に記載の方向指示器。
(57)【要約】      （修正有）【課題】主に、底パッドと底パッドに設けられた固定バンドから構成される水虫予防が可能なフットカバーを提供する。【解決手段】底パッド１の前端外側には、第二指サック５と第四指サック４が設けられており、上述の底パッドの前端内側には、底パッドの前端の縁に沿って足指パッド６が設けられている。上述の底パッドの中部には足裏パッド２が設けられている。上述の足指パッドの中には足指ソフトパッド８が設けられ、上述の足裏パッドの中には足裏ソフトパッド３が設けられている。水虫予防が可能なフットカバーは、構造が簡単で、便利で、効果が良好であり、コストも低く、保養保健にもよい等の長所を持つ。【選択図】図１
0003186215.tif 000002
【実用新案登録請求の範囲】
【請求項１】
一種の水虫予防が可能なフットカバーで、主に底パッド（１）と底パッドに設けられた固定バンド（７）から構成される。その特徴は次の通りである。上述の底パッド（１）の前端外側には第二指サック（５）と第四指サック（４）が設けられている。上述の底パッド（１）の前端内側には底パッド前端の縁に沿って足指パッド（６）がある。上述の底パッド（１）の中部には足裏パッド（２）が設けられている。
【請求項２】
利要求１に述べられた水虫予防が可能なフットカバーの特徴は次の通り。上述の足指パッド（６）の中には足指ソフトパッド（８）が設けられ、上述の足裏パッド（２）の中には足裏ソフトパッド（３）が設けられている。
【考案の詳細な説明】
【技術分野】
【０００１】本実用新案はフットカバーに関するもので、特に水虫予防が可能なフットカバーに関するものである。
【背景技術】
【０００２】足は人が歩き回るのを支えてくれる。そのため、足の防護は非常に大切な意味を持つ。水虫などの疾病にかかると、徹底的に治癒させるのはむずかしいし、発作が起こればかゆくてたまらず、その害には多くの人が悩まされている。そこで、水虫を予防するために、手袋に似た、５本の足指を互いに離して着用するフットカバーが出現した。こうしたフットカバーは、構造は簡単で着用には便利だが、水虫予防などの効果はあまり芳しくなく、これを履いていても水虫にはよくかかる。
【考案の開示】
【考案が解決しようとする課題】
【０００３】本実用新案の目的は、既存の技術の足りない部分を補い、構造が簡単で、便利で、効果も良好で、コストも低く、保養保健機能を具えた、水虫予防が可能なフットカバーを提供することである。
【課題を解決するための手段】
【０００４】本実用新案の目的は、以下の技術案を通して実現できる。【０００５】本実用新案の水虫予防のフットカバーは、底パッドと底パッドに設けられた固定バンドから構成される。このうち、上述の底パッドの前端外側には、第二指サックと第四指サックが設けられており、上述の底パッドの前端内側には、底パッドの前端の縁に沿って足指パッドが設けられている。上述の底パッドの中部には足裏パッドが設けられている。【０００６】上述の足指パッドの中には足指ソフトパッドが設けられ、上述の足裏パッドの中には足裏ソフトパッドが設けられている。
【考案の効果】
【０００７】本実用新案の水虫予防が可能なフットカバーの有益な効果：２つの簡単な第二指サックと第四指サックで５本の指を互いに分離させ、更に底パッド前端と中部に設けられた足指パッドと足裏パッドで足をマッサージすることで、抵抗力を高め、水虫などの疾病を予防し、治療する。本実用新案の水虫予防が可能なフットカバーは、構造が簡単で、便利で、効果が良好であり、コストも低く、環境にやさしく、保健にもよい等の長所を持つ。
【実施例】
【０００８】図１に示した通り、本実用新案の水虫予防が可能なフットカバーは主に、底パッド１と底パッド１に設置された固定バンド７から構成される。このうち、上述の底パッド１の前端外側には第二指サック５と第四指サック４が並んで設けられており、この第二指サック５と第四指サック４が５本の足指を互いに分離させる。上述の底パッド１の前端内側には、底パッドの前端の縁に沿って足指パッド６が設けられている。底パッド１の中端には足裏パッド２がある。上述の足指パッド６の中には足指ソフトパッド８が設けられており、上述の足裏パッド２の中には足裏ソフトパッド３が設けられている。上述の足指ソフトパッド８と足裏ソフトパッド３の役割により、足はマッサージされ、水虫に対する抵抗力が高められる。【０００９】実際に使用する場合、まず第二指と第四指をそれぞれ上述の第二指サック５と第四指サック４に入れて、５本の足指を相互に分離させ、足指の部分に空気が通り、風が通るようにする。この際、足指部分は上述の足指パッド６の上に置かれ、足裏部分は上述の足裏パッド２の上に置かれるため、歩くと、足指パッド６と足裏パッド２の中の足指ソフトパッド８と足裏ソフトパッド３が足部分をマッサージし、足の抵抗力を高める。こうすることで、水虫などの疾病の予防、対策できる。
【図面の簡単な説明】
【００１０】
【図１】本実用新案の水虫予防が可能なフットカバーの構造説明図である。
【符号の説明】
【００１１】１底パッド
２足裏パッド
３足裏ソフトパッド
４第四指サック
５第二指サック
６足指パッド
７固定バンド
８足指ソフトパッド
【図１】
0003186215.tif 000003
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
底パットと底パットに設けられた固定バンドからなる水虫予防可能なフットカバーであって、
前記底パットの前端外側には第二指サックと第四指サックが設けられており、
前記底パット前端内側には底パットが前端の縁に沿って足指パットが設けられており、
前記底パットの内部には足裏パッドが設けられていることを特徴とする水虫予防が可能なフットカバー。
【請求項２】
前記足指パッドの中には足指ソフトパッドが設けられて、前記足裏パッドの中には足裏ソフトパッドが設けられていることを特徴とする請求項１に記載の水虫予防が可能なフットカバー。
(57)【要約】      （修正有）【課題】多様な糸に対応し、糸のかけ間違いを防ぎつつ、長期間の利用や再利用を可能にする簡易両面織り機を提供する。【解決手段】樹脂製の素材とし織り機全体の折り線３，４を設け、切込み１，２を多様な縦糸に対応しかつ縦糸をかけやすい形状とし、横糸の通し間違いを防ぎつつ縦糸の間隔を均等にするために縦糸の１本ごとに目印５をつける。【選択図】図１
0003186258.tif 000002
【実用新案登録請求の範囲】
【請求項１】
素材を剛性のある合成樹脂製とし、織り機の上下に縦糸を張るための切込みを織り機の縦糸の一端にあたらない部分は切込み部分を谷形の形状にし、織り機の縦糸の一端となる切込み部分を内側に窪みのある形の円状の反り返りを設けたものにし、織り機を縦糸に沿って折り畳むための折り線、横糸を通しやすくするための折り線と可動域を設け、織り機の縦糸が張られる場所に縦糸一本おきに特定の特徴を有する目印を備えることを特徴とする手織りの両面織り機。
【考案の詳細な説明】
【技術分野】
【０００１】
本考案は、手軽に筒型の織り地が作れる両面手織り機に関するものである。
【背景技術】
【０００２】
簡易の両面手織り機において、簡易に利用するためにも利用後に糸を外すためにも、適度な弾性を持つ薄い板であっても破棄可能な素材であるほうが簡易かつ容易であるために、素材は厚紙や段ボール紙を用いていた。その素材に対して、必要なサイズを選定し、切断等を行った上で、縦糸をかけるために手動で切込みを入れていた。
【０００３】
しかし、長期間の利用を行う際には、素材の強度の問題から、簡易織り機が縮小することや歪みが生じるという欠点があった。また、織り機の再利用を行う際には、手織り終了後に、切込みを壊さない形で糸を外すことは難しく、外す際には簡易織り機の全体または切込みに破損や歪みが生じるという欠点があった。
【０００４】
そして、織り機にかける縦糸の素材が太いものであると、縦糸をかける場所が織り機の切込みにすぎないために、縦糸が切込みに入りにくく、うまく縦糸がかからないことや、織り機の素材の強度が不十分なときには切込みが崩れることがあった。
【０００５】
また、縦糸に対して横糸を、縦糸一本おきに上下に通すことにより、織りこんでいくことになるが、横糸を通す際に、縦糸の上下を取り違える場合があり、作業に習熟するまでは横糸を縦糸の上または下のどちらに通すかを確認することが煩雑となることや、上下を取り違えたまま織り込みを進めてしまうことや、縦糸の間隔にムラが生じ、織り目が揃わなくなり織り地が変形することが生じていた。
【先行技術文献】
【特許文献】
【０００６】
【特許文献１】登録実用新案第３０９１４５９号公報
【非特許文献】
【０００７】
【非特許文献１】なし
【考案の概要】
【考案が解決しようとする課題】
【０００８】
従来の簡易両面織り機では、長期間の利用や再利用のときに耐久性の問題が生じることや縦糸に横糸を通していくときに糸のかけ違いが起きることがあった。
【課題を解決するための手段】
【０００９】
本考案は、簡易両面織り機に耐久性を持たせるために樹脂製の素材とし織り機全体の折り畳むための折り線を設け、切込みを多様な縦糸に対応しかつ縦糸をかけやすい形状とし、糸のかけ違いを防ぎつつ縦糸の間隔を均等にするために縦糸の１本ごとに目印をつけたことを最も主要な特徴とする。
【考案の効果】
【００１０】
本考案の簡易両面織り機は、再利用を前提とした樹脂製であるため、長時間の利用や再利用においても織り機のサイズが縮小することや歪みが生じることを防ぐことができ、切込みを谷型とすることで太さが多様な糸に対応し、縦糸一本おきに目印があるため縦糸一本おきに上または下に横糸を通す際の上下の間違いを防ぐことにより織り間違いを防止し、縦糸の間隔のムラを防ぐことにより折り目を揃え織り地が変形を防止することができるという利点がある。
【図面の簡単な説明】
【００１１】
【図１】図１は本考案の簡易両面織り機の平面図である。
【考案を実施するための形態】
【００１２】
簡易両面織り機としての板を樹脂製の素材とし、縦糸をかけるための切込みを谷型とし、縦糸が張られる部分に縦糸１本ごとに目印をつけている。
【実施例】
【００１３】
図１は、本考案の平面図である。また、１は縦糸を張るために縦糸をかける部分、２は織物の一端にあたる縦糸を張るために縦糸をかける部分、３は簡易両面織り機を折り畳むための折り線、４は６部分を前後に可動させ横糸を通しやすくするための折り線、５は横糸を縦糸に通す際の上下の目印である。
【００１４】
素材は、筒型に織るときに横糸を引き締めるために内向きの圧力がかかるため、剛性のある合成樹脂製にすることにより、折り線部分の可動域を損なうことなく、耐久力を持たせている。
【００１５】
切込み１および２は、織り機の上下に縦糸を張るための切込みである。切込み２は、切込み部分を谷形の形状にすることで谷の部分に細い縦糸から太い縦糸まで多くの種類の縦糸を張ることができ、かつ織り機に縦糸をかけるときに、糸がかけやすくなっている。切込み１は縦糸の一端となるため縦糸の保持を確実にすることと織り機の耐久性の両立のために、縦糸が織り機から外れることを防ぐための内側に窪みのある形の円状の反り返りを設けている。また、切込み１は織り機の端にあるため表裏続けることにより一目となる部分である。そのため、切込み１にあたる部分では、織り目の間隔を切込み２の部分と揃えるために切込み間隔を切込み２の半分の幅にすべきであるが、内側への窪みにより半分の幅にすることななく、織り目の間隔を他と揃えること実現している。
【００１６】
折り線３は簡易両面織り機を折り畳むための加工部分であり、当該部分での凹みや軟化素材の採用等により、折り線３に応じて折り曲げることができるようにしている。この折り曲げにより、織り上がった織り地が抜きやすくなっている。
【００１７】
目印５は、横糸を縦糸に通す際に、縦糸の上下のどちらに通すかを識別するための目印であり、織り機の縦糸が張られる場所に目印をおくことにより、特定の特徴を有する目印の場合に糸を上に通し、また別の特徴を有する目印の場合に糸を下に通すことにより、横糸の通し間違いを防ぐための目印となっている。また、目印に沿って縦糸を配置することにより、縦糸の間隔が均等になり織り地を均一にすることが可能になる。
【００１８】
折り線４は、可動域６を前後に可動させることにより縦糸と織り機の間に空間を作り横糸を通しやすくするための可動域となっている。
【符号の説明】
【００１９】
１    一端となる縦糸をかける切れ込み
２    一端ではない縦糸をかける切れ込み
３    縦糸方向の折り畳み用の折り線
４    ６の可動域を動かすための折り線
５    横糸通し用の目印
６    横糸を通しやすくするための可動域
【図１】
0003186258.tif 000003
(57)【要約】      （修正有） 【課題】使いやすくかつ丈夫な雑記帳を提供する。【解決手段】掌サイズの雑記帳Ａの上縁側の一側隅角部を三角形状に一括して切除することにより、斜状裁断縁Ｍを形成し、当該裁断縁Ｍの辺縁寄りに沿って一直線状に、複数個の綴り用環材２による緩めの綴り込み部分を設けたことを特徴とする。【選択図】図１
0003186260.tif 000002
【実用新案登録請求の範囲】
【請求項１】
掌サイズの雑記帳(Ａ)の上縁側の一側隅角部を三角形状に一括して切除することにより、斜状裁断縁(Ｍ)を形成し、当該裁断縁(Ｍ)の辺縁寄りに沿って一直線状に、複数個の綴り用環材(２)による緩めの綴り込み部分を設けたメモ帳または単語帳のような雑記帳。
【考案の詳細な説明】
【技術分野】
【０００１】
本考案はメモ帳としての使用、または、単語帳としての使用を可能とする掌サイズの小型な雑記帳に関する。
【背景技術】
【０００２】
従来、この種の雑記帳は上縁部分で綴るようにしたもの（例えば、特許文献１参照。）、或いは側縁部分で綴るようにしたもの（例えば、特許文献２参照。）がある。  さらに、上縁の一方の隅角部においてリング状の留め金具で綴るようにしたものもある。
【先行技術文献】
【特許文献】
【０００３】
【特許文献１】実用新案登録第３０５９７８８号公報
【特許文献２】特開２００７−１１８５４９号公報
【考案の概要】
【考案が解決しようとする課題】
【０００４】
上述したように上縁部分で綴るようにしたもの、或いは側縁部分で綴るようにしたものの場合、ページ（紙葉）をめくる際に、ページ全体を上方または側方に大きく回転させなければならず、また、その綴り用金具はページの該当側縁の全長に合わせる関係上、必要以上に長くなってしまい、コストアップの原因となるばかりでなく、作動に固さが生じ、ページめくり操作の円滑性を阻害することとなった。
【０００５】
また、上記したように、上縁隅角部においてリング状の留め金具で綴るようにしたものであると、紙葉の捲りは斜め方向とされ、コンパクトの点では適しているが、角部であるから１個以上の止め金具を設けることが出来ず、そのため、引きちぎれやすいと言うような問題が伴うことを余儀なくされた。
【０００６】
本考案は、上述したような従来の問題点の解消を図った新規の製品を提供するものである。
【課題を解決するための手段】
【０００７】
本考案は請求項１に記載のように、掌サイズの雑記帳Ａの上縁側の一側隅角部を三角形状に一括して切除することにより、斜状裁断縁Ｍを形成し、当該裁断縁Ｍの辺縁寄りに沿って一直線状に、複数個の綴り用環材２による緩めの綴り込み部分を設けたメモ帳または単語帳のような雑記帳に係る。
【考案の効果】
【０００８】
本考案は請求項１に記載の構成、すなわち、掌サイズの雑記帳Ａの上縁側の一側隅角部を三角形状に一括して切除することにより、斜状裁断縁Ｍを形成し、当該裁断縁Ｍの辺縁寄りに沿って一直線状に、複数個の綴り用環材２による緩めの綴り込み部分を設けたから、頁捲りに際しては斜め上方に跳ね上げることにより行われるとこととなる。  従って、従来のように横方向或いは縦方向に頁捲りを行うものと比して極めて興趣性に富んだものとされるばかりでなく、その操作か斜め方向と言う人間工学的に適した合理的作動とされる。
【０００９】
更に、仮りに、雑記帳の隅角部にそのまま一個の綴り環綴る依る綴り部を設けるように構成した場合、綴り込みが左右に振れて極めて不安定なものとされるばかりでなく、強度的にも弱体で綴り用孔部分が切損し易いと言うような問題が伴うものである。  これに対して本考案は、斜状裁断縁Ｍを形成し、当該裁断縁Ｍの辺縁寄りに沿って一直線状に、複数個の綴り用環材２による緩めの綴り込み部分を設けるように構成したから、頁捲りの安定性が図られると共に、綴り部の強度的向上性が達成される。
【図面の簡単な説明】
【００１０】
【図１】本考案の正面図である。
【図２】図１におけるＸ−Ｘ線断面図である。
【図３】頁を開いた状態にある本考案の正面図である。
【考案を実施するための形態】
【００１１】
図において、Ａは掌サイズの雑記帳であって、メモ帳としての使用、または、単語帳としての使用等、適宜な覚え用として用いられるものである。  すなわち、当該雑記帳Ａはその各ページ面に所要の罫線等を設けることにより、各種の用途に用いられるものである。そして、本考案は用途自体を特徴とするものではなく、綴り方の形態に特徴有するものである。
【００１２】
ａは表表紙、ｂは所要枚数の頁構成用紙、ｃは裏表紙であって、これらは重合状態に保つと共に、その上縁側の一側隅角部を二等辺三角形状に一括して裁断することにより、斜状裁断縁Ｍを形成してある。  なお、上記二等辺三角形状の裁断であるが、これに限定する必要はなく、ほぼこの程度の角度とするのが好ましいものとする。
【００１３】
１は上記斜状裁断縁Ｍの辺縁寄りに穿設した綴り用孔であって、複数個から成るものである（図示の実施例にあっては３個）。  ２は上記各綴り孔１に対して緩く嵌め込んだ綴り用環材であって、雑記帳Ａの上縁寄り一側隅角部で緩めの綴り止め部分を設けている。
【００１４】
図１に示す状態において、図３に示すように表表紙ａを斜め上方に跳ね上げ、頁構成用紙ｂを表面に露出させることに依って、これの書き込み或いは読み取り基づき、雑記帳として機能させる。  なお、この時、表表紙ａは図３の状態から更に裏表紙ｃの裏面側に捲り込んでおく。
【符号の説明】
【００１５】
Ａ  雑記帳
ａ  表表紙
ｂ  頁構成用紙
ｃ  裏表紙
Ｍ  裁断縁
１  綴り用孔
２  綴り用環材  
【図１】
0003186260.tif 000003
【図２】
0003186260.tif 000004
【図３】
0003186260.tif 000005